(57)【要約】余分の利用可能な電力をもつかもしれない送信器は自律的に同じデータを含む以前に送信されたフレームを再送することが可能になる。送信器は無線基地局（ＢＴＳ）に初期フレームを送信し、すぐにＢＴＳからのＡＣＫ／ＮＡＫ送信に係らず同じフレームを再送する。その再送は受信器で累積され、そのフレームの十分な量が送信された後にデコードされる。最後に再送されたフレームを受信した後に、ＢＴＳは送信器にＡＣＫ／ＮＡＫを送信し、それが受付られる。
2007536876.tif 000002
【特許請求の範囲】
【請求項１】
ハイブリッド自動再送要求（ＡＲＱ）を利用し、少なくとも１つのユーザ機器（ＵＥ）と少なくとも１つの無線基地局（ＢＴＳ）とを有し、前記ＵＥが前記ＢＴＳと通信を行う広帯域符号分割多元接続（ＷＣＤＭＡ）通信システムにおける受信パケットのアプリケーション層配信のための方法であって、
前記ＢＴＳは、
前記ＵＥから前記ＢＴＳへの、データユニットを含む最初のフレームを受信する工程と、
確認応答メッセージが前記ＵＥで受信される前に、前記ＵＥから前記ＢＴＳへの、夫々が前記最初のフレームにおける前記データユニットの繰返しを含む後続のフレームを受信する工程と、
前記フレームを受信後、前記ＢＴＳでは前提条件に従って開始されるデコード処理を開始する工程とを有するように適合されていることを特徴とする方法。
【請求項２】
前記ＢＴＳが前記最初のフレームのデコード処理を開始する工程は、前記最初のフレームを受信する工程に続くことを特徴とする請求項１に記載の方法。
【請求項３】
再送フレームを受信することは、最後に受信したフレームからのデータユニットを受信した別のフレームのデータユニットとを合成することであることを特徴とする請求項１に記載の方法。
【請求項４】
前記前提条件に合致したかどうかを判断する工程と、
もし前記前提条件に合致しているなら、前記受信したフレームから前記合成したデータユニットのデコード処理を開始する工程とをさらに有することを特徴とする請求項３に記載の方法。
【請求項５】
前記ＵＥが、前記ＵＥに利用可能な電力が高速データ速度をサポートするのに不十分であることを判断する工程をさらに有することを特徴とする請求項１に記載の方法。
【請求項６】
現在のフレームの前記ハイブリッドＡＲＱ処理は前のフレームの前記ハイブリッドＡＲＱ処理とは異なることを特徴とする請求項４に記載の方法。
【請求項７】
前記ＢＴＳは前記デコード処理の結果を示唆するＡＣＫ／ＮＡＫ信号を前記ＵＥに送信することを特徴とする請求項６に記載の方法。
【請求項８】
前記前提条件は、前記ＵＥが最後のフレームを除く全てのフレームで各フレームは自律的送信であることを示唆する第１の値にセットされた残りデータフラグを送信することと、前記最後のフレームで更なる自律的送信はないことを示唆する第２の値にセットされた残りデータフラグを送信することとを含むことを特徴とする請求項４に記載の方法。
【請求項９】
前記前提条件は、前記第２の値にセットされた前記残りデータフラグを受信するとき、前記受信を行うＢＴＳは前記最初のフレームから前記最後のフレームまで蓄積されたデータユニットのデコードを開始し、ＡＣＫ／ＮＡＫ信号が前記ＵＥに送信されるという条件を含むことを特徴とする請求項８に記載の方法。
【請求項１０】
前記前提条件は、全てのフレームにおける残り送信フィールドが次に続く付加的な自律的再送の数を示唆するという条件を含むことを特徴とする請求項４に記載の方法。
【請求項１１】
前記前提条件はさらに、第２番目のフレームにおける残り送信フィールドは前記最初のフレームにおける残り送信フィールドの値よりも“１”少ない値にセットされるという条件を含むことを特徴とする請求項１０に記載の方法。
【請求項１２】
前記前提条件はさらに、前記最後のフレームにおける残り送信フィールドは、ソフト合成が完了し、ＡＣＫ／ＮＡＫ信号が前記ＵＥに送信された後にデコードが開始されるべきであることを示唆するゼロにセットされるという条件を含むことを特徴とする請求項１１に記載の方法。
【請求項１３】
高速データ速度の使用を制限する信号を受信するとき、前記ＵＥは自律的再送が開始されるべきかどうかを決定することを特徴とする請求項１に記載の方法。
【請求項１４】
無線通信システムにおける無線基地局（ＢＴＳ）であって、ハイブリッド自動再送要求（ＡＲＱ）を利用し、少なくとも１つのユーザ機器（ＵＥ）と少なくとも１つの無線基地局（ＢＴＳ）とを有し、前記ＵＥが前記ＢＴＳと通信を行う広帯域符号分割多元接続（ＷＣＤＭＡ）通信システムにおける受信パケットのアプリケーション層配信のための手段を有しており、
前記ＢＴＳは、
前記ＵＥから前記ＢＴＳへの、データユニットを有する最初のフレームを受信し、
前記ＵＥから前記ＢＴＳへの、夫々が前記最初のフレームにおける前記データユニットの繰返しを含む後続のフレームを受信する受信器と、
前記最初のフレームと前記後続のフレームとにおいて受信したデータユニットをソフト合成する合成手段と、
前記ソフト合成したデータユニットのデコード処理を行うデコーダとを有し、
前記デコード処理は前提条件に従って開始されることを特徴とする無線基地局。
【請求項１５】
前記デコーダは前記最初のフレームの受信時に、前記最初のフレームのデコードを開始することを特徴とする請求項１４に記載の無線基地局。
【請求項１６】
前記デコーダは前記最初のフレームと同じデータユニットを含む第２番目のフレームの受信時に、前記最初のフレームのデコードを中止し、前記最初と第２番目のフレームのデータユニットを合成することを特徴とする請求項１５に記載の無線基地局。
【請求項１７】
前記前提条件に合致したかどうかを判断する手段と、
もし前記前提条件に合致しているなら、前記最初のフレームと前記後続のフレームから前記合成したデータユニットのデコード処理を開始する手段とをさらに有することを特徴とする請求項１４に記載の無線基地局。
【請求項１８】
前記前提条件は、後続のフレームの前記ハイブリッドＡＲＱ処理は前のフレームの前記ハイブリッドＡＲＱ処理とは異なるという条件を含むことを特徴とする請求項１７に記載の無線基地局。
【請求項１９】
前記ＢＴＳは前記デコード処理の結果を示唆するＡＣＫ／ＮＡＫ信号を前記ＵＥに送信することを特徴とする請求項１８に記載の無線基地局。
【請求項２０】
前記前提条件は、前記ＢＴＳが最後のフレームを除く全てのフレームで各フレームは自律的送信であることを示唆する第１の値にセットされた残りデータフラグを受信し、前記最後のフレームで更なる自律的送信はないことを示唆する第２の値にセットされた残りデータフラグを受信するという条件を含むことを特徴とする請求項１４に記載の無線基地局。
【請求項２１】
前記前提条件は、前記第２の値にセットされた前記残りデータフラグを受信するとき、前記受信を行うＢＴＳは前記最初のフレームから前記最後のフレームまで蓄積されたデータユニットのデコードを開始し、前記ＢＴＳはＡＣＫ／ＮＡＫ信号を前記ＵＥに送信するという条件を含むことを特徴とする請求項２０に記載の無線基地局。
【請求項２２】
前記前提条件は、最初の送信に続く付加的な自律的再送の数を示唆する前記受信した最初のフレームにおける残り送信フィールドを有するという条件を含むことを特徴とする請求項１４に記載の無線基地局。
【請求項２３】
前記前提条件はさらに、第２番目のフレームにおける残り送信フィールドは前記最初のフレームにおける残り送信フィールドの値よりも“１”少ない値にセットされるという条件を含むことを特徴とする請求項２２に記載の無線基地局。
【請求項２４】
前記前提条件はさらに、前記最後のフレームにおける残り送信フィールドは、ソフト合成が完了し、前記ＢＴＳがＡＣＫ／ＮＡＫ信号を前記ＵＥに送信した後に前記デコーダの動作が開始されるべきであることを示唆するゼロにセットされるという条件を含むことを特徴とする請求項２３に記載の無線基地局。
【請求項２５】
高速データ速度の使用を制限させる信号を前記ＵＥに送信する手段をさらに有することを特徴とする請求項１４に記載の無線基地局。
【請求項２６】
ハイブリッド自動再送要求（ＡＲＱ）を利用し、少なくとも１つのユーザ機器（ＵＥ）と少なくとも１つの無線基地局（ＢＴＳ）とを有し、前記ＵＥが前記ＢＴＳと通信を行う広帯域符号分割多元接続（ＷＣＤＭＡ）通信システムにおいて動作可能なユーザ機器（ＵＥ）であって、
前記ＵＥは、
前記ＵＥから前記ＢＴＳへデータユニットを含む最初のフレームを送信し、
前記ＵＥから前記ＢＴＳへ、前記最初のフレームにおける前記データユニットの繰返しを含む後続のフレームを送信し、
前記最初のフレームと前記後続のフレームとにおける前記データユニットの再送を含み、前記ＢＴＳが最後のフレームを識別する通知を含む最後のフレームを送信する送信手段と、
前記ＢＴＳが前記通知を受信し、前記受信した送信に関する前提条件に合致したと判断したことを示唆するＡＣＫ／ＮＡＫ信号を前記ＢＴＳから受信して受け付ける受信手段とを有することを特徴とするユーザ機器。
【請求項２７】
前記ＵＥは前記最初のフレームを受信する前記ＢＴＳが応答したＡＣＫ／ＮＡＫ信号を無視し、
前記ＵＥにより送信された後続のフレームを受信する前記ＢＴＳが応答して前記ＢＴＳから受信したＡＣＫ／ＮＡＫ信号を無視することを特徴とする請求項２６に記載のユーザ機器。
【請求項２８】
前記前提条件は前のフレームの前記ハイブリッドＡＲＱ処理とは異なるハイブリッドＡＲＱ処理を行う最後のフレームを送信し、前記異なるハイブリッドＡＲＱ処理の受信に応答したＡＣＫ／ＮＡＫ信号を受け付ける手段を含むことを特徴とする請求項２６に記載のユーザ機器。
【請求項２９】
前記ＵＥは前記前提条件に合致したことを示唆する前記ＢＴＳから前記異なるハイブリッドＡＲＱの受信に応答した前記ＵＥへのＡＣＫ／ＮＡＫ信号を受け付けることを特徴とする請求項２６に記載のユーザ機器。
【請求項３０】
前記前提条件は、最後のフレームを除く全てのフレームで各フレームは自律的送信であることを示唆する第１の値に残りデータフラグをセットし、前記最後のフレームで更なる自律的送信はないことを示唆する第２の値に残りデータフラグをセットして送信する手段を含むことを特徴とする請求項２６に記載のユーザ機器。
【請求項３１】
前記第２の値にセットした前記残りデータフラグを送信後すぐに、これに応答した前記前提条件に合致したことを示唆するＡＣＫ／ＮＡＫ信号が前記ＵＥにより受け付けられることを特徴とする請求項３０に記載のユーザ機器。
【請求項３２】
前記前提条件は、全てのフレームに含まれ、前記最初の送信に続く付加的な自律的再送の数を示唆する残り送信フィールドをセットする手段を含むことを特徴とする請求項２６に記載のユーザ機器。
【請求項３３】
前記前提条件は、第２番目のフレームにおける前記残り送信フィールドに、前記最初のフレームにおける値よりも“１”小さな値をセットするという条件をさらに含むことを特徴とする請求項３２に記載のユーザ機器。
【請求項３４】
前記前提条件はさらに、前記最後のフレームにおける残り送信フィールドに、ソフト合成が完了し、前記前提条件に合致したことを示唆するＡＣＫ／ＮＡＫ信号が前記ＵＥにより受付られた後にデコードが開始されるべきであることを示唆するゼロをセットするという条件を含むことを特徴とする請求項３３に記載のユーザ機器。
【請求項３５】
高速データ速度の使用を制限する信号を受け付ける手段をさらに有することを特徴とする請求項２６に記載のユーザ機器。
【発明の詳細な説明】
【技術分野】
【０００１】
本発明はデジタル無線通信システムに関する。特に、本発明は広帯域符号分割多元接続（ＷＣＤＭＡ）通信システムに関する。さらに言えば、本発明はユーザ機器（ＵＥ）とＷＣＤＭＡシステムにおける受信器との間のデータ送信に関する。
【背景技術】
【０００２】
ＷＣＤＭＡにおける物理層は１つ以上の転送チャネルを上位層に提供している。その転送チャネルからのデータは個々に符号化され、ともに多重化され、空中を受信側まで送信される。その転送チャネルに関する送信時間間隔（ＴＴＩ）はデータについての符号化とインタリーブが実行される期間である。周波数分割複信（ＦＤＤ）モードに関し、これはまた所与のＴＴＩにおける転送ブロックの空中の実際の送信時間に対応している。現在のところ、ＷＣＤＭＡのＦＤＤアップリンクは、１０、２０、４０、或は８０ミリ秒のＴＴＩ、相対的には低速のより上位層のシグナリングを介して転送チャネル当たり準統計的に構成されたパラメータをサポートしている。
【０００３】
パケットデータ送信のシナリオでは、データは通常、例えば、３３６ビットのような固定サイズをもつ転送ブロックの形式で物理層へと着信する。このサイズは簡単に或は急に変えることはできず、通常は、システムの全てのユーザに対して同じ値に固定される。１つの転送ブロックは、１つのＴＴＩで転送チャネルで送信されるゼロではない最小データ量である。ＴＴＩによりサポートされるゼロではない最小のデータ速度が与えられる。所与の転送ブロックサイズに関して、ＴＴＩが長くなればなるほど、ゼロではない最小データ速度もより小さくなる。同時に、遅延が少ないことはパケットデータシステムにおいて通常重要なことである。それ故に、ＴＴＩが短ければ短いほど、遅延の観点からすればより良いものである。
【０００４】
無線通信システムでは、データ速度が高速であればあるほど、受信電力は情報ビット当たりの適切な受信エネルギーをより長く維持しなければならない。従って、一定のデータ速度が信頼性をもってサポートされうる端末−基地局間最大距離がある。この距離において、端末は最大電力で送信を行い、端末から基地局までの伝播損失を克服し、依然として考慮しているデータ速度での信頼できる通信に関し必要な最小受信電力を維持する。従って、その端末が基地局からさらに遠くなればなるほど、可能な最大データ速度はより低速になる。通常、セルラネットワークは互いに対して適切な距離で基地局を配置することにより一定の最小（アップリンク）ビット率、例えば、６４ｋビット／秒に対して計画される。
【０００５】
アプリケーション層にまで受信パケットをエラーのない配信を保証するために（無線）通信システムは通常、ハイブリッド自動再送要求（ＡＲＱ）を用いる。ハイブリッドＡＲＱを用いたシステムでは、データは符号化され、受信器に送信される。その受信器は受信データのデコードを試みる。その受信データにエラーが見出されたなら、受信器は送信器からのデータユニットの再送を要求する。デコード処理においてエラーが見出されないなら、受信データは正しく受信されたと考えられ、受信器は確認応答信号を送信器に対して送信し、受信データユニットを上位層へと受け渡す。従って、上位層に対して（ほどんど）エラーのないデータユニットの配信が提供される。
【０００６】
ハイブリッドＡＲＱ機能の性能は、ソフト合成、「即ち、受信器がエラーがある受信データユニットをバッファリングして、バッファされたソフト情報と再送により受信したソフト情報とを合成すること」を実行することにより更に強化されている。
【０００７】
ＡＲＱプロトコルの動作の簡単な例示が図１に示されている。例示する目的のため、この図では、高速ダウンリンクパケットアクセス（ＨＳＤＰＡ）に対してなされているのと似た方法で多数の独立なストップ−アンド−ウェイト・プロトコルを用いている。
【０００８】
送信器は最初のフレームでデータの１ユニットを送信する。そのデータとともに、制御情報、例えば、ハイブリッドＡＲＱ処理番号と新データインジケータ（New Data Indicator）が送信される。受信時、受信器は受信信号のデコードを試み、送信器にＡＣＫ或はＮＡＫを送信する。図１では、デコード処理は失敗し、ＮＡＫが送信され、送信器からの再送を要求している。送信器はそのデータを、この時には、これが再送であり、デコードが成功するための確率を向上させるために受信信号は既にバッファされている情報とソフト合成すべきであることを示唆するためにセットされた新データインジケータとともに再送する。その処理番号の背後にある思想とは、多数の平行的なストップ−アンド−ウェイト・プロトコルを利用することができることにある。従って、フレーム１で送信されハイブリッドＡＲＱ処理１のために意図されたデータのデコードを試みる一方、フレーム２〜４が、他のハイブリッドＡＲＱ処理、例えば、処理２〜４への送信のために用いられる。
【０００９】
第３世代パートナーシッププロジェクト（３ＧＰＰ）では、アップリンクにおけるパケットデータサービスの性能をどのように向上させるかについて、現在も検討している。その主要な関心の１つは、遅延を低減することである。ハイブリッドＡＲＱがソフト合成とともに導入され、基地局に設置されたなら顕著な遅延低減が可能である。その場合には、基地局は、低速の上位層の再送プロトコルに依存する代わりに、端末からのエラーを含んで受信したデータユニットの再送を高速に要求することができる。もし、最小ＴＴＩが１０ミリ秒から２ミリ秒に低減されたなら、更なる遅延低減が可能である。
【００１０】
現在のところ、（基地局に位置する）ハイブリッドＡＲＱも、２ミリ秒のＴＴＩもＷＣＤＭＡのアップリンクによりサポートされていない。しかしながら、その導入は現在、３ＧＰＰで検討中である。ソフト合成とともにハイブリッドＡＲＱを導入することは概念的には簡単である。２ミリ秒の準統計的なＴＴＩは原理としては現存する構造に基づいている。
【発明の開示】
【発明が解決しようとする課題】
【００１１】
上述のように、ＴＴＩが短くなるとゼロではない最小のデータ速度はより高速になる。それ故に、端末の最大送信電力が変化しないことを仮定すると、新しい２ミリ秒のＴＴＩを用いた端末のカバレッジは、現存する１０ミリ秒のＴＴＩを用いた端末と比較して影響を受けるかもしれない。上述の例の数を用いると、アップリンクにおいて送信されるゼロではない最小ユニットである３３６ビットの最小転送ブロックサイズは、１０ミリ秒のＴＴＩに対しては３３．６ｋビット／秒のゼロではない最小データ率に、２ミリ秒のＴＴＩに対しては１６８ｋビット／秒に対応する。典型的な値である６４ｋビット／秒カバレッジを計画したネットワークを仮定すると、セル境界におけるデータ送信は１０ミリ秒のＴＴＩに対しては保証されるが、２ミリ秒のＴＴＩに対しては保証されない。新しい機能がこの仕様に導入されるときネットワークを再設計することは望ましくないので、このことは残念である。カバレッジの問題に加えて、無線資源管理（ＲＲＭ）の観点からも１６８ｋビット／秒よりもかなり低速のゼロではない最小データ率を使用する理由があるかもしれない。
【００１２】
発明の要約
後述の問題に対する１つの解決策は、端末の電力が制限されるときの状況でＴＴＩを２ミリ秒から１０ミリ秒に切り替えることである。ＴＴＩは現在のところ準統計的なパラメータなので、急速に変化するチャネル条件のために端末に生じる急激な電力制限に適合することができないかもしれない低速な処理である場合に端末を再構成するのに、上位層のシグナリングが求められる。さらにその上、端末における電力状況に通常は気づいていないネットワークがその再構成を開始しなければならない。即ち、その状況とは、その制限自体が端末がネットワークとの信頼のできる通信を行うことを妨げてしまうかもしれないために端末がネットワークに通知できない状況である。動的なＴＴＩ、即ち、電力制限がある場合にはいつでも端末が自律的にＴＴＩを変更できることは、１つの解決策となりえる。しかしながら、動的なＴＴＩは現在のＷＣＤＭＡ仕様に従ったものではなく、それをその仕様に導入することは議論の的になるか、複雑なものとなるかの少なくともいずれかであるかもしれない。それはまた、ＴＴＩを切り替える時におけるバッファの扱いに伴う問題、例えば、ＴＴＩが２ミリ秒に切り換わるなら１０ミリ秒でのＴＴＩで問題となっているパケットの再送をどのように扱うのかという問題を生じさせる。
【００１３】
別の可能性は２ミリ秒のＴＴＩを維持し、ハイブリッドＡＲＱプロトコルとソフト合成とに依存することである。このやり方を用いると、端末は電力が制限された状況あってもゼロでない最低の速度で２ミリ秒のＴＴＩを用いてデータを送信する。受信電力が十分に大きくはないので、そのデータは信頼性をもって検出できずにほとんどいつも端末からの再送が要求される。その再送が生じるとき、基地局は再送と前回の送信試行からバッファされているソフト情報とのソフト合成を実行することができる。各再送試行に関して、情報ビット当たりの累積エネルギーは増加し、ついには基地局はそのデータをうまくデコードすることができるであろう。この解決策はハイブリッドＡＲＱ機構に依存している。その機構は別の理由のためにも導入が提案されている。それ故、このやり方は構成されたＴＴＩへの何の変更も要求しないので単純である。しかしながら、各再送試行からの付加的な遅延があるのが欠点である。即ち、その欠点はハイブリッドＡＲＱ機構を導入するための主な理由の１つとして相対的には深刻なものであり、２ミリ秒のＴＴＩは全体的な遅延を削減することになる。
【課題を解決するための手段】
【００１４】
本発明は、例えば、ゼロではない最低のデータ速度が余りにも高すぎるという状況において、より長い送信間隔を具体化するための幾つかの可能性を説明している。本発明は他の理由のためにも同様に望ましいソフト合成を伴うハイブリッドＡＲＱに基づいているので、これにより、送信器が自律的にかつ急速にさらにより低速なデータ速度を用いることが可能になる。送信器／受信器を再構成するために上位層のシグナリングを用いることの代替案でははるかに低速になり、利用可能な資源の使用が不十分な状態にまで至るかもしれない。チャネルに関する多数のＴＴＩ（フレーム長）をサポートし、送信器に自律的にどんなＴＴＩを用いるのかを選択させるという別の代替案も可能である。しかしながら、これは仕様や（おそらく）実施の観点からはより複雑であると考えられる。さらにその上、説明された方式では何の複雑性を加えることなく広範囲の送信間隔を容易に具体化することができる。また、これにより、送信器が多数の自律的な再送（即ち、多数のフレームに及ぶ）と１個だけのフレームに及ぶ（受信ＡＣＫ／ＮＡＫに基づく）通常の再送とを用いて初期の送信を実行することが可能になる。
【００１５】
本発明の特徴的と考えられる新規の特徴は添付の請求の範囲で説明されている。しかしながら、本発明それ自体と、その利用、更なる目的、及び利点についての好適な態様は添付図面と関連させて読まれる次に説明する例示的な実施例を参照することにより最良の理解が得られるであろう。
【発明を実施するための最良の形態】
【００１６】
本発明は現在３ＧＰＰで標準化されているＷＣＤＭＡの改善されたアップリンクに適用可能である。また、他の将来の標準化にも適用可能であるかもしれない。次の説明では、限定的ではなく説明のために、特定のアーキテクチュア、インタフェース、技術などの具体的な詳細が説明され本発明の完全な理解を提供している。しかしながら、当業者には本発明はこれら具体的な詳細とは離れた他の実施例において実施されることが明らかである。他の例では、公知の機器、回路、方法の詳細な説明は省略され、不必要な詳細な説明により本発明の説明があいまいなものにならないようにしている。
【００１７】
図２は本発明の好適な実施例に従う、ネットワークからのＡＣＫ／ＮＡＫ信号を待ち合わせることのない端末からの自律的な再送について図示している。ハイブリッドＡＲＱ機能に依存したゼロではない余りにも高速な最小データ速度の問題を、受信器からのＡＣＫ／ＮＡＫフィードバックを待ち合わせるのに関連した付加的な遅延なく、解決するための方法が提案される。送信器（ユーザ機器）は、ＡＣＫ／ＮＡＫ信号を送信するための受信器（ネットワーク機器）を待ち合わせることなく、そして、ＡＣＫ／ＮＡＫ信号に関連した遅延を招くことなく自律的な再送を実行する。その送信器はフレーム１において１つのデータユニットを送信し、後続の複数のフレームでそのデータユニットを繰り返す。なお、そのデータは本発明の実施形に依存して任意の数のフレームで送信される。この図では３つのフレームが用いられているが、これはあくまでも例示的なものである。
【００１８】
（ハイブリッドＡＲＱ処理番号とともに）データユニットを含む最初のフレームを受信後、受信器はその最初のフレームのデコードを開始する。そのデータユニットの再送を含む第２番目のフレームの受信において、受信器は送信器が前のフレームにおけるのと同じハイブリッドＡＲＱ処理番号を用い、“自律的再送”が進行中であることを意味する送信を示唆しているのに注目する。第２番目のフレームにおける“自律的再送”の検出時、受信器は（デコードが既に完了しているのでないなら）最初のフレームのデコードを中断し、第２番目のフレームを最初のフレームとソフト合成し、合成された信号のデコードを開始する。同様に、第３番目の自律的送信の検出時、受信器はデコードを中断し、３つ全ての信号を合成し、新しいデコードの試みを開始する。上述のように、３つのフレームを用いることは発明の理解を容易にするための例示に過ぎず、自律的に送信されるフレーム数を限定することを意味するものではない。
【００１９】
前のフレームとは異なるハイブリッドＡＲＱ番号が４番目のフレームとともに送信され、その異なる処理番号を検出するとき、受信器は最初の３つのフレームに関係した付加的な自律的送信が予想されないと結論し、その結果、デコーダは合成されたデータのデコードを完了する。そのデコードの試みの結果は何らかのハイブリッドＡＲＱ方式におけるようにＡＣＫ／ＮＡＫ（或は、類似のステータスレポート）を介して送信器に示される。
【００２０】
図３は本発明の好適な実施例に従う端末からの再送を描いたもので、そこでは、各再送が残りデータフラグを含む。前の段落で説明した方法により自律的な再送の利用が可能になるが、それはたとえフレームが自律的な再送の一部であったとしても、不必要に受信器のデコーダの処理を開始させる。このことは、例えば、ハイブリッドＡＲＱ処理番号や新データインジケータ（New Data Indicator）のようなハイブリッドＡＲＱ方式の動作に必要な制御情報とともに残りデータフラグを含めることにより解決される。もし、残りデータフラグが“真（True）”にセットされるなら、受信器は自律的な送信が次のフレームにおいても続き、デコーダの動作を開始させる必要はなく、ただ、到来する自律的送信に対するソフトビットをバッファすれば良いことを知る。第３番目のフレームでは、残りデータフラグが“偽（False）”にセットされ、その受信器に自律的送信が続かないことを示す。その時、受信器はデコーダの動作を開始させ、何らかのハイブリッドＡＲＱ方式においてそうであるようにそのデータを処理する。従って、その“残りデータ”フラグは受信器に対する“デコードを開始しない”インジケータとして理解できる。
【００２１】
図４は、本発明の好適な実施例に従う、“残り送信”フィールドを含むフレーム構造を図示している。“残り送信”フィールドは残りデータフラグの代わりにフレームに含まれると良い。そのフィールドは、どれほどの数の付加的な自律的再送が予想されるのかを示唆している。最初のフレームでは、送信器は続く２つのフレームが自律的再送を含み、それ故にデコードに先立ち、初期の送信とのソフト合成を行うべきであることを示唆する。第２番目のフレームでは、“残り送信”フィールドは、１つの付加的な自律的再送が続くことを示唆するために“１”にセットされる。そして、最後に３番目のフレームでは、これが最後のフレームなので、残り送信フィールドはゼロにセットされる。これら３つのフレームをソフト合成した後、デコーダの処理が開始されるべきである。
【００２２】
“残り送信”フィールドをもつことの利点は、エラー事象をより良く扱うことにある。もし、即ち、図３における第２番目のフレームが喪失したなら、受信器はフレーム３以降にデコード処理を開始すべきかどうか分からない。図４では、これに対して、残りデータフィールドが受信器に対して、デコード処理をフレーム３の最後まで開始すべきではないことを示しており、付加的な要求は、デコード処理の開始はフレーム１、２、３をソフト合成することに基づいている点である。
【００２３】
更にエラーの場合の耐性を強化するために、受信器は、たとえその特定の送信を検出しないとしても最後の自律的な送信に対するフィードバック信号（ＡＣＫ／ＮＡＫ）を送信することができる。このことは、たとえ、例えば、最後に送信されたＴＴＩが検出されないとしても、再送の必要はないことが可能になることを意味している。このことは、受信器が送信器がいくつの自律的送信を実行したのかを知っているなら、その場合にのみ可能である。
【００２４】
上記の検討において、ハイブリッドＡＲＱ処理番号と新データインジケータ（或は、類似の情報）が各データフレームとともに送信されることを仮定した。原理上、その処理番号と新データインジケータは自律的再送の最初のフレームでのみ送信することが可能である。そのようなやり方をすれば、いくらかの送信電力が削減され、その代わりにデータ送信に用いることができる。しかし、その方式はまたエラー事象に対してより影響を受けやすい。なぜなら、最初のフレームを受信することが極めて重要であるからである。
【００２５】
図５は本発明の好適な実施例に従う、ＴＦＣＩシグナリングの一部として残りデータフラグを説明する図である。その“残りデータ”フラグ（或はフィールド）は上述した例示においては別のシグナリングとして図示されている。これは１つの可能性ではあるが、ＴＦＣＩシグナリングの一部としてフラグ／フィールドを見ることが好ましい。自律的な再送は通常、最低のデータ速度において有用であるに過ぎない。それ故に、ＴＦＣＩの一部としてフラグ／フィールドを見ることにより図５で図示されているように必要なビット総数を削減することができる。
【００２６】
一般に、再送が自律的なものであるかどうかに係らず、その再送は、例えば、チェイス合成やインクリメンタル・リダンダンシー（Incremental Redundancy）のようなソフト合成を伴うハイブリッドＡＲＱについての何らかの公知の方式を用いることができる。さらにその上、用いられる符号化速度についての特定の仮定はなく、例えば、ＴＴＩについての所与の値は例だけとして見られるべきである。最後に、その原理はセルラアップリンクのシナリオにおいて説明されているが、原理上、ダウンリンクにも同様に適用できる。
【００２７】
図６は本発明の好適な実施例に従う、ＡＣＫ／ＮＡＫ信号が送信された時点で受信された（再）送信からデータがデコードされるのかどうかを示唆するＡＣＫ／ＮＡＫ信号を示すブロック図である。上述の実施例では、ＡＣＫ／ＮＡＫ信号の送信はデコード処理の最後になされ、図２〜図４に示されたようなＡＣＫ／ＮＡＫの指示は破線で印が付けられている。疑問符号（？）はＡＣＫ／ＮＡＫが受信器により無視された（か、全く送信されなかった）ことを示している。しかしながら、上記方式の性能は、これらＡＣＫ／ＮＡＫのインジケータが用いられるなら、即ち、各フレームに関する送信フィードバック信号が累積的であるなら、さらに改善される。各フレームに関して、送信されたＡＣＫ／ＮＡＫはそのデータがデコードされたのかどうかを示す。１つだけのデコーダが利用可能であるなら、前のフレームのデコードは（そのデコードが既に完了していないなら）中断されねばならず、生成されたＡＣＫ／ＮＡＫは中断時点におけるデータがデコードされたかどうかを示唆している。別の可能性とは、自律的な再送が検出されたときにはデータのデコードが中断されず、その代わりにそのデコードを図示されているように続行することである。自律的再送が検出されたとき、その再送は前に受信したデータとソフト合成され、その合成されたデータが別のデコード処理でデコードされる。
【００２８】
例えば、可能性のある最小データユニットが３２０ビットであれば、ＴＴＩが２ミリ秒であるなら、最小データ速度は１６０ｋビット／秒である。ＤＰＣＣＨに関する要求されるＤＰＣＣＨ電力オフセットをＸと仮定する。もし、端末が電力制限のために電力オフセットＸにする余裕もないなら、その端末は同じデータユニット（この例では３２０ビット）を１ＴＴＩにおいてＸ／２の電力オフセットで送信すると決定し、それからそのデータユニットを次のＴＴＩで（Ｘ／２の電力オフセットで）自律的に再送することができる。全体としての結果は、３２０ビットが２＋２＝４ミリ秒で送信され、これは（ＤＰＣＣＨに関して）Ｘ／２ｄＢの電力要求では８０ｋビット／秒のデータ速度になる。またなお、自律的な再送には付加的な理由があるかもしれない。上述のように、そのネットワークは干渉が理由となって端末データ速度（電力オフセット）を制限する必要があるかもしれない。それ故に、たとえ端末が高速データ速度にする余裕があるとしても、ネットワークの制限の故に、それを用いることが許されないこともあり得る。
【００２９】
再送が必要であるかどうかを決定するとき、送信器は受信フィードバック信号全てを考慮して、そのフィードバック信号におけるエラーに対する耐性を強化する決定をするかもしれない。例として、受信器は最初に受信したＡＣＫ（最初の２、３のフィードバック信号はおそらくいつもＮＡＫであろう）の後に各受信フィードバック信号を考慮し、受信したＡＣＫ／ＮＡＫの比に従って決定を行うか、或は、受信したフィードバック信号からのソフト情報に基づいて決定することができる。別の例は、送信器が最後の“Ｋ”個の受信フィードバック信号を考慮して、これらから総合的な決定をすることである。
【図面の簡単な説明】
【００３０】
【図１】従来のハイブリッドＡＲＱの動作を示す図である。
【図２】本発明の好適な実施例に従う、ネットワークからのＡＣＫ／ＮＡＫ信号を待ち合わせることのない端末からの自律的な再送について説明する図である。
【図３】本発明の好適な実施例に従う、残りデータフラグを含ませることによりネットワークからのＡＣＫ／ＮＡＫ信号を待ち合わせることのない端末からの自律的な再送について説明する図である。
【図４】本発明の好適な実施例に従う、残り送信フィールドを含ませることによりネットワークからのＡＣＫ／ＮＡＫ信号を待ち合わせることのない端末からの自律的な再送について示す図である。
【図５】本発明の好適な実施例に従う、ＴＦＣＩシグナリングの一部としての残りデータフラグを説明する図である。
【図６】本発明の好適な実施例に従う、ＡＣＫ／ＮＡＫ信号が送信された時点で受信された（再）送信からデータがデコードされるのかどうかを示唆するＡＣＫ／ＮＡＫ信号を示すブロック図である。
【図１】
2007536876.tif 000003
【図２】
2007536876.tif 000004
【図３】
2007536876.tif 000005
【図４】
2007536876.tif 000006
【図５】
2007536876.tif 000007
【図６】
2007536876.tif 000008
【手続補正書】
【提出日】平成19年2月20日(2007.2.20)
【手続補正１】
【補正対象書類名】特許請求の範囲
【補正対象項目名】請求項３
【補正方法】変更
【補正の内容】
【請求項３】
再送フレームを受信することは、最後に受信したフレームからのデータユニットを受信した別のフレームのデータユニットと合成することであることを特徴とする請求項１に記載の方法。
【国際調査報告】
2007536876.tif 000009
2007536876.tif 000010
2007536876.tif 000011
2007536876.tif 000012